(57)【要約】  【課題】  本考案は、指向制御板の表面に結露が生じ難くする技術を提供する。  【解決手段】エアーコンディショナーの室内機３５から吹き出された空気の流れ方向を制御する指向制御板１であって、指向制御板１は、室内機３５の空気吹出口３から吹き出される空気を受けるウィングプレート４と、このウィングプレート４を天井面２に取り付けるためのアーム５ａ，５ｂとを有する。そしてウィングプレート４の表面の全てには結露防止用布地４０が張着されている。  【選択図】  図１
0003114170.tif 000002
【実用新案登録請求の範囲】
【請求項１】
壁面に埋設されたエアーコンディショナーの室内機から吹き出された空気の流れ方向を制御する指向制御板であって、
前記室内機の空気吹出口から吹き出される空気を受ける面板部と、
この面板部を壁面に取り付けるための取付部とを有し、
前記面板部は少なくともその主面部における一方の面に結露防止用布地が張着されていることを特徴とする指向制御板。
【請求項２】
前記結露防止用布地としては、ナイロンが適用されることを特徴とする請求項１に記載の指向制御板。
【請求項３】
前記面板部はその主面部における他方の面に断熱材が取り付けられていることを特徴とする請求項１又は２に記載の指向制御板。
【考案の詳細な説明】
【技術分野】
【０００１】
本考案は、エアーコンディショナーの室内機から吹き出された空気の流れ方向を制御する指向制御板に関するものである。
【背景技術】
【０００２】
近年は、ビル，店舗，病院等の大抵の屋内にエアーコンディショナーが設置されている。エアーコンディショナーは、室内に設置される室内機と、屋外に設置され、室内機とチューブで接続されると共に室内の熱を屋外へ排出する屋外機とを備え、室内における空気の温度・湿度・清浄度などの調節を行う。
また室内機には、天井や壁等の平面に埋め込んで設置するタイプ、天井から吊すタイプ、壁に掛けて設置するタイプがある。
【０００３】
このうち、天井に埋め込んで設置するタイプ（以下埋め込みタイプ）の場合、見栄えや取り付けスペースの面からオフィスや店舗などで普及している。
【０００４】
埋め込みタイプの室内機における普及型は、通常、矩形状をしたフレームパネルの中央に風を吸い込む吸込口が設けられ、その外側に風を吹き出す吹出口が設置される。
【０００５】
冷たい空気は下方に向けて流れる。したがって、室内機の空気吹出口（以下、吹出口）から吹き出される空気の風向き調整をしないと部屋全体を満遍なく冷却できない。このため、部屋全体を一様に冷却できるように、吹出口から吹き出される空気は、通常、遠方かつ斜め上方に向けて送り出される。
【０００６】
当該方向への吹き出しを実現する為に、室内機における空気流通路には、天井面側に向かって傾斜する傾斜路を有している。この傾斜路により、吹出口から排出された冷却空気は、ある程度の広がりをもって送られる。
【０００７】
ところが、室内の中には柱や置物など空気の流れを妨げる障害物があるため、当該傾斜路の傾斜角度によっては特定の箇所に集中的に冷却空気が送られる場合があり、当該特定箇所の温度が局所的に冷却されることがある。これと反対に吹き出し口から離れた箇所や空気の循環が悪い箇所では、冷却空気が行き渡らない場合がある。
【０００８】
そこで、吹出口から排出された空気の流れ方向を制御して所望方向に指し向ける指向制御板が周知である。
【０００９】
ところで、これまでの指向制御板には、結露対策が施されていなかった。このため、指向制御板に大気中に含まれている水蒸気が凝結を始め露となって滴下してしまうという問題があった。
【考案の開示】
【考案が解決しようとする課題】
【００１０】
本考案は、このような事項に鑑みてなされたものであり、その解決しようとする課題は、結露による滴下を抑制することができる技術を提供することにある。
【課題を解決するための手段】
【００１１】
本考案は、上記課題を解決するために以下の手段を採用した。
すなわち、本考案は、壁面に埋設されたエアーコンディショナーの室内機から吹き出さ
れた空気の流れ方向を制御する指向制御板であって、前記室内機の空気吹出口から吹き出される空気を受ける面板部と、この面板部を壁面に取り付けるための取付部とを有し、前記面板部は少なくともその主面部における一方の面に結露防止用布地を張着するようにした。よって、本考案にあっては、大気中の水蒸気が結露により布地の表面に凝結し水滴となっても、布地の目の中に水滴が入り込むようになる。この結果、面板部はその保水力が高まる。
前記結露防止用布地としては、ナイロンが適用される。
前記面板部はその主面部における他方の面に断熱材が取り付けられるようにしてもよい。
【考案の効果】
【００１２】
したがって、本考案にあっては、面板部の表面に張着された結露防止用布地がない場合に比較し、結露による滴下を有効に抑制できる。
【考案を実施するための最良の形態】
【００１３】
以下に、本実施の形態に係るエアーコンディショナーの室内機から吹き出された空気の指向制御板を添付した図面に従って詳細に説明する。
【００１４】
図１及び図２からわかるように、本実施形態の指向制御板１は、天井面２に埋設されたエアーコンディショナーの室内機３５の吹出口３から吹き出された空気を室内機３５の外で受けるウィングプレート（面板部）４と、ウィングプレート４を天井に取り付けるためのアーム（取付部）５ａ，５ｂとを有する。
【００１５】
ウィングプレート４は、プラスチックその他の合成樹脂で形成されており、その全体形状は、ほぼ長方形で浅底の容器の如き形状をしている。また、ウィングプレート４は、その主面部６の一側縁を除き、長手方向両端縁及び残りの一側縁が、主面部６に対して直角に折り曲げられたごとき形態をした壁部９・９および７とされている。当該壁部の形成されていない前記一側縁は、主面部６に連続しかつ緩やかに湾曲する湾曲部８とされている。
【００１６】
主面部６の一方の面（表面：図１に示す側の面）６ａには、結露防止用布地４０が全面に張着されている（図２，図４および図５参照）。結露防止用布地としては、ナイロンが用いられている。また全面とは主面部６のみならず壁部９・９および７並びに湾曲部８を含む意である、
【００１７】
さらに、主面部６の他方の面（裏面：図１に示す側の面）６ｂには、その長手方向に補強リブ１０ａ，１０ｂ，１０ｃが等間隔で立設されて主面部６の裏面を仕切る。そして、中心の補強リブ１０ｂの両側に位置する二つの補強リブ１０ａ，１０ｃには、アーム５ａ，５ｂを回動自在に取り付けるために立脚する枢軸脚１１ａ，１１ｂが設けられている（図３参照）。
【００１８】
補強リブ１０ａ，１０ｂ，１０ｃによって仕切られた各仕切り部屋には断熱用マット４２が隙間無く敷き詰められている（図３及び図４参照）。但し、断熱材である断熱用マット４２は無くてもよい（図５参照）。
【００１９】
アーム５ａ（５ｂ）は、その一端に平板のジョイント（以下、平板ジョイント）１７が回動自在に取り付けられ、他端では枢軸脚１１ａ（１１ｂ）と回動自在に連結されるようになっている。平板ジョイント１７は、指向制御板１をアーム５ａ（５ｂ）を介して天井に取り付けるにあたり、天井面２と室内機３５との間の隙間（図示せず）に挿入される。
【００２０】
このような指向制御板１にあっては、室内機３５の吹出口３から吹き出される空気を受けるウィングプレート４の主面部６の表面６ａの全てに結露防止用布地４０が張着されているから、エアーコンディショナーの利用により室内機３５から流れる冷風が、指向制御板１に流れ、大気中の水蒸気が結露により結露防止用布地４０の表面に凝結し水滴となっても、当該水滴は結露防止用布地４０の目の中に入り込む。よって、ウィングプレート４はその保水力が高まる。よって、指向制御板１にあっては、ウィングプレート４の表面に張着された結露防止用布地４０がない場合に比較し、結露による滴下を有効に抑制できる。
【００２１】
なお、本考案は上述の図示例にのみ限定されるものではなく、本考案の要旨を逸脱しない範囲内において種種変更を加え得ることは勿論である。例えば、裏面６ｂにも結露防止用布地４０を施してもよいのは勿論である。
【図面の簡単な説明】
【００２２】
【図１】本実施形態に係る指向制御板の取り付け状態を示す斜視図である。
【図２】本実施形態に係る指向制御板を裏側から見た斜視図である。
【図３】本実施形態に係る指向制御板をアームを取り外し、その裏側に断熱用マットを取着した状態を示す斜視図である。
【図４】図３のＩＶ−ＩＶ線断面図である。
【図５】指向制御板に断熱用マットを適用しなかった場合において指向制御板を表側から見た場合の横断面図である。
【符号の説明】
【００２３】
１ 指向制御板
２ 天井面
３ 空気吹出口
４ ウィングプレート（面板部）
５ａ，５ｂ アーム
６ 主面部
６ａ 表面（一方の面）
６ｂ 裏面（他方の面）
７ 壁部
８ 湾曲部
９ 壁部
１０ａ 補強リブ
１０ｂ 補強リブ
１０ｃ 補強リブ
１１ａ，１１ｂ 枢軸脚
１７ 平板ジョイント
３５ 室内機
４０ 結露防止用布地
４２ 断熱用マット
【図１】
0003114170.tif 000003
【図２】
0003114170.tif 000004
【図３】
0003114170.tif 000005
【図４】
0003114170.tif 000006
【図５】
0003114170.tif 000007